(57)【要約】【課題】  遊技球の整流と球止めを１つの部材にて行なうことにより、製造コストの低減化に寄与するパチンコ機のタンクレールにおける球通路蓋構造を提供すること。【解決手段】  タンクレール１０の下流位置に設けられたカーブレール部の外側壁に、遊技球ａが進入可能な嵌合穴１３を形成し、球通路蓋１８によりタンクレールの上面の一部を覆った状態では、当該球通路蓋１８の突部２１が嵌合穴１３を塞ぐ位置に臨み、かつ、遊技球の下流への通行を可能とし、他方、タンクレールの上面の一部を開放した状態では、その球通路蓋１８の突部２１を嵌合穴１３から後退させて遊技球ａを当該嵌合穴１３に進入させることにより、その嵌合穴に進入した遊技球ａがタンクレール１０の球通路１１にはみだして後続遊技球の通行を阻止する球止め状態が生ずるように構成した。【選択図】  図５
2005110762.tif 000002
【特許請求の範囲】
【請求項１】
球タンクに貯留された遊技球を複数列に整流しつつ下方に配置された遊技球払出装置に導くための上面が開放されたタンクレールを設け、そのタンクレールの下流位置に、当該レールの上面の一部を覆い又は開放可能とすると共に当該レール内の遊技球の流下を停止させる機能を有する球通路蓋を備えたパチンコ機において、
前記タンクレールの下流位置に設けられたカーブレール部の外側壁に、遊技球が進入可能な嵌合穴を形成し、前記球通路蓋によりタンクレールの上面の一部を覆った状態では、当該球通路蓋の一部がその嵌合穴を塞ぐ位置に臨み、かつ、遊技球の下流への通行を可能とし、他方、タンクレールの上面の一部を開放した状態では、その球通路蓋の一部を前記嵌合穴から後退させて遊技球を当該嵌合穴に進入させることにより、その嵌合穴に進入した遊技球がタンクレールの球通路にはみだして後続遊技球の通行を阻止するように構成したことを特徴とするパチンコ機のタンクレールにおける球通路蓋構造。
【請求項２】
前記球通路蓋の後端に設けられた係止部に対応する係合部が少なくとも二箇所に設けられ、その係止部を一方の係合部に係合させることにより該球通路蓋の一部が前記嵌合穴を塞ぐ位置に臨むように設けられ、その係止部を他方の係合部に係合させることにより該球通路蓋の一部を前記嵌合穴から後退させて遊技球を当該嵌合穴に進入させるように構成したことを特徴とする請求項１に記載のパチンコ機のタンクレールにおける球通路蓋構造。
【請求項３】
前記係止部が弾性変形可能な連結部を介して前記球通路蓋の後端に一体に形成されていることを特徴とする請求項２に記載のパチンコ機のタンクレールにおける球通路蓋構造。
【発明の詳細な説明】
【技術分野】
【０００１】
本発明は、パチンコ機のタンクレールにおける球通路蓋構造に関するものである。
【背景技術】
【０００２】
パチンコ機には島設備から供給される遊技球を貯留する球タンクと、その球タンクに貯留された遊技球を２列に整流しつつ下方に配置された遊技球払出装置に導くための上面が開放されたタンクレールを設け、そのタンクレールの下流位置に、遊技球が重なって移動しないように整列させる球整流板と、当該レールの球通路に介入してパチンコ機の流下を一時的に停止させる球止片とが設けられている。
【０００３】
因みに、その遊技球払出装置については、点検・修理等の際に遊技盤裏面に配置される公知の機構板から取り外すことがあり、そのときに上流側の遊技球が流れ込んで四散しないようにするために上記球止片が設けられている。
【０００４】
特開７−２７５４６６号公報には、球整流板の後端に設けた軸受け部に、球止片に一体に形成された軸を挿入して当該球止片を球整流板に対して回転可能とし、かつ、その球止片の軸端部をタンクレールの側壁に形成した透孔に挿入することにより球整流板と球止片とをタンクレールに一緒に取り付けるという構造が開示されている。
【０００５】
しかし、従来のパチンコ機のタンクレールにおいては、球整流板と球止片の２部材を使用する構造とされているために製造コストが高くなっていた。
【特許文献１】特開７−２７５４６６号公報
【発明の開示】
【発明が解決しようとする課題】
【０００６】
本発明の目的は、遊技球の整流と球止めを１つの部材にて行なうことにより、製造コストの低減化に寄与するパチンコ機のタンクレールにおける球通路蓋構造を提供することにある。
【課題を解決するための手段】
【０００７】
前記目的を達成するために請求項１に記載した発明は、球タンクに貯留された遊技球を複数列に整流しつつ下方に配置された遊技球払出装置に導くための上面が開放されたタンクレールを設け、そのタンクレールの下流位置に、当該レールの上面の一部を覆い又は開放可能とすると共に当該レール内の遊技球の流下を停止させる機能を有する球通路蓋を備えたパチンコ機において、
前記タンクレールの下流位置に設けられたカーブレール部の外側壁に、遊技球が進入可能な嵌合穴を形成し、前記球通路蓋によりタンクレールの上面の一部を覆った状態では、当該球通路蓋の一部がその嵌合穴を塞ぐ位置に臨み、かつ、遊技球の下流への通行を可能とし、他方、タンクレールの上面の一部を開放した状態では、その球通路蓋の一部を前記嵌合穴から後退させて遊技球を当該嵌合穴に進入させることにより、その嵌合穴に進入した遊技球がタンクレールの球通路にはみだして後続遊技球の通行を阻止するように構成したことを特徴とする。
【０００８】
同様の目的を達成するために請求項２に記載した発明は、請求項１に記載のパチンコ機のタンクレールにおける球通路蓋構造において、前記球通路蓋の後端に設けられた係止部に対応する係合部が少なくとも二箇所に設けられ、その係止部を一方の係合部に係合させることにより該球通路蓋の一部が前記嵌合穴を塞ぐ位置に臨むように設けられ、その係止部を他方の係合部に係合させることにより該球通路蓋の一部を前記嵌合穴から後退させて遊技球を当該嵌合穴に進入させるように構成したことを特徴とするものである。
【０００９】
同様の目的を達成するために請求項３に記載した発明は、請求項２に記載のパチンコ機のタンクレールにおける球通路蓋構造において、前記係止部が弾性変形可能な連結部を介して前記球通路蓋の後端に一体に形成されていることを特徴とするものである。
【発明の効果】
【００１０】
（請求項１の発明）
このパチンコ機のタンクレールにおける球通路蓋構造は、遊技球の整流と球止めを１部材の球整流蓋にて行なう簡素な構成とすることにより、球整流板と球止片の２つの部材を使用する従来構造に比較して製造コストの低減化を図ることができる。
【００１１】
（請求項２の発明）
このパチンコ機のタンクレールにおける球通路蓋構造は、球通路蓋の一部が嵌合穴を塞いで遊技球の下流への通行を可能とする位置と、遊技球を嵌合穴に進入させて球止めを施す位置とに変換する操作が容易に行えると共にそれらの係合固定を確実に行なえる利点がある。
【００１２】
（請求項３の発明）
このパチンコ機のタンクレールにおける球通路蓋構造は、球通路蓋の後端に位置決め用の係止部を一体に形成した簡素な構成としているので、量産に適すると共に製造コストが安価となる。
【発明を実施するための最良の形態】
【００１３】
以下に、本発明の最良の形態例を図面に基づいて説明する。図１〜図５は第１実施の形態例、図６〜図９は第２実施の形態例に係るものであり、図１は本発明を適用したパチンコ機の概要背面図、図２はタンクレールと球通路蓋付近の正面図、図３は球通路蓋の斜視図、図４は図２の平面図、図５は球止め状態を示す説明図、図６はタンクレールと球通路蓋付近の正面図、図７は図６の平面図、図８は球止め状態を示す説明図、図９は球通路蓋を大きく開放した状態を示す説明図である。
【００１４】
（第１実施形態例）
図１において、本発明のタンクレールにおける球通路蓋構造を適用したパチンコ機ｐは、従来のパチンコ機の構成と同様に、図示しない遊技盤が前面枠１の裏面に着脱自在に設けられ、その遊技盤の裏面に機構板（図示せず）が開閉自由に設けられている。その機構板には、島設備から供給される遊技球を貯留する球タンク２と、その球タンク２に貯留される遊技球を２列に整流しつつ下方に配置された遊技球払出装置８０に導くためのタンクレール１０が取り付けられている。
【００１５】
タンクレール１０は、機構板３に固定される側の側壁１０ａと底壁１０ｂ及び前面側の側壁１０ｃとにより上面が開放された樋状に形成されており、底壁１０ｂから区画壁１０ｄが長手方向中央に突設されて２列の球通路１１、１１を設けている（図４）。図２に示すように、このタンクレール１０の下流位置にはカーブレール部１２を設け、そのカーブレール部１２の外側壁１２ａに、遊技球が進入可能な上方が開放された嵌合穴１３を形成している。１４は外側壁１２ａ箇所の前記側壁１０ａと側壁１０ｃから外方に延びるように一体に形成されたほぼコ字形状の枠片であり、１５はその枠片１４に設けられた係合部である。１６はカーブレール部１２の下端の球出口である。
【００１６】
図２、図３に示すプラスチック製球の通路蓋１８は、タンクレール１０の上面の一部たる下流部を覆い又は開放可能とすると共に当該レール１０内の遊技球ａの流下を停止させる機能を有するものである。図３に示すように、この球通路蓋１８は、帯板状の蓋部１９の前端に幅方向に延びる軸筒２０を形成し、その帯板状の後端をほぼ直角に湾曲させて下端に突部２１を形成すると共に当該突部２１から上方へ延びる弾性変形可能な逆Ｕ字形の連結部２２を介して係止部２３を一体に形成している。また、球通路蓋１８の下面中央には、前端から後端にいたる区画壁２４が一体に形成されている。
【００１７】
図２、図４に示すように、上記球通路蓋１８は、軸筒２０に通したネジ軸２６を機構板３の前面に形成されたボス４に締め付けることにより回転可能に取り付けられ、常には係止部２３をタンクレール１０の係合部１５に係合させて球通路１１内の遊技球ａが円滑に通行することができる状態に保持される。５は機構板３の前面に設けられたストッパーであり、このストッパー５により球通路蓋１８の上方への移動量が規制されるように設けられている。
【００１８】
以上により、第１実施形態例のパチンコ機のタンクレールにおける球通路蓋構造が構成される。
つぎに、このパチンコ機のタンクレールにおける球通路蓋構造の作用及び球通路蓋の操作方法について述べる。
【００１９】
（通常の遊技球払出しの場合）
図２に示すように、球通路蓋１８は、その係止部２３をタンクレール１０の係合部１５に係合させることによりタンクレール１０の下流部を覆った状態とされる。この場合においては、球通路蓋１８の突部２１が嵌合穴１３を塞ぐ位置に臨み、かつ、球通路１１，１１内の遊技球ａが球出口１６から下流の案内樋８を通過して遊技球払出装置８０に導かれる。
【００２０】
（球止めを施す場合）
図５に示すように、球通路蓋１８の係止部２３をタンクレール１０の係合部１５から外すと、当該球通路蓋１８の突部２１は嵌合穴１３から後退する。これにより、遊技球ａが当該嵌合穴１３に進入して球通路蓋１８を上方に押し上げて嵌合穴１３の底部と突部２１により挟まれた状態に保持され、かつ、その遊技球ａが球通路１１，１１にはみだすため、後続遊技球ａは通行を阻止されてその位置に止まる。この状態を、いわゆる「球止め状態」という。
【００２１】
（第２実施形態例）
この実施形態例のタンクレールにおける球通路蓋構造は、前述した第１実施形態例のタンクレールにおける球通路蓋構造と比較すると、主に球通路蓋の支持と位置決め構成の点で相違している。
【００２２】
タンクレール５０は、機構板３に固定される側の側壁５０ａと底壁５０ｂ及び前面側の側壁５０ｃとにより上面が開放された樋状に形成されており、底壁５０ｂから区画壁５０ｄが長手方向中央に突設されて２列の球通路５１、５１を設けている（図７）。図６に示すように、このタンクレール５０の下流位置にはカーブレール部５２を設け、そのカーブレール部５２の外側壁５２ａに、遊技球が進入可能な上方が開放された嵌合穴５３を形成している。５４はカーブレール部５２の下端の球出口である。カーブレール部５２から所定距離だけ上流の側壁５０ａ及び側壁５０ｃには、上下方向の長穴５６が形成された支持片５５を延長するように夫々突設する。
【００２３】
図６、図７に示すように、この球通路蓋６０は、帯板状の蓋部６１の前端に段付穴６３が両端に穿設された筒部６２を形成し、その帯板状の後端をほぼ直角に湾曲させて下端に突部６４を形成すると共に当該突部６４から上方へ延びる弾性変形可能な逆Ｕ字形の連結部６５を介して係止部６６を一体に形成している。また、球通路蓋６０の下面中央には、前端から後端にいたる区画壁６７が一体に形成されている。
【００２４】
上記球通路蓋６０は、図７に示すように、段付穴６３，６３の大径部に収めたボール６８，６８を前記タンクレール５０の長穴５６，５６に夫々係合させることにより上下移動及び回転可能に取り付けられている。
【００２５】
機構板３の前面には、係止片７０を一体に形成する。その係止片７０の内側には、斜め上下方向に係合部としての第１係合溝７１と第２係合溝７２とを設けている。
【００２６】
しかして、この第２実施の形態例のタンクレールにおける球通路蓋構造では、球通路蓋６０の係止部６６を第１係合溝７１に係合させることにより当該球通路蓋６０の突部６４が前記嵌合穴５３を塞ぐ位置に臨むように設けられ、その係止部６６を第２係合溝７２に係合させることにより突部６４を嵌合穴５３から後退させて遊技球ａを当該嵌合穴５３に進入させることができるように構成されている。
つぎに、このパチンコ機のタンクレールにおける球通路蓋構造の作用及び球通路蓋の操作方法について述べる。
【００２７】
（通常の遊技球払出しの場合）
図６に示すように、球通路蓋６０は、その係止部６６を第１係合溝７１に係合させることによりタンクレール５０の下流部を覆った状態とされる。この場合においては、球通路蓋６０の突部６４が嵌合穴５３を塞ぐ位置に臨み、かつ、球通路５１，５１内の遊技球ａが球出口５４から下流の案内樋８を通過して遊技球払出装置８０に導かれる。
【００２８】
また、遊技球ａが球通路５１，５１内で重なるときには、球通路蓋６０の係止部６６を支点として当該球通路蓋６０が上下方向に揺動して遊技球ａが円滑に流下するように球均し作用が生ずる。
【００２９】
（球止めを施す場合）
図８に示すように、球通路蓋６０の係止部６６を第１係合溝７１から外して第２係合溝７２に係合させると、当該球通路蓋６０の突部６４は嵌合穴５３から後退する。これにより、遊技球ａが嵌合穴５３に進入して球通路蓋６０を上方に押し上げて当該嵌合穴５３の底部と突部６４により挟まれた状態に保持され、かつ、その遊技球ａが球通路５１，５１にはみだすため、後続遊技球ａは通行を阻止されてその位置に止まる。
【００３０】
（点検・修理等の場合）
点検・修理等の場合には、球通路蓋６０の係止部６６を第２係合溝７２から外して上方に持ち上げておき、例えば、球通路５１に混入したビスｃを取り除くようにする。
【００３１】
以上に述べた通り、このパチンコ機のタンクレールにおける球通路蓋構造は、遊技球の整流と球止めを１部材の球整流蓋にて行なう簡素な構成とすることにより、製造コストの低減化を図ることができる。
【図面の簡単な説明】
【００３２】
【図１】本発明の第１実施の形態例を適用したパチンコ機の概要背面図
【図２】第１実施の形態例におけるタンクレールと球通路蓋付近の正面図
【図３】第１実施の形態例における球通路蓋の斜視図
【図４】図２の平面図
【図５】第１実施の形態例における球止め状態を示す説明図
【図６】第２実施の形態例におけるタンクレールと球通路蓋付近の正面図
【図７】図６の平面図
【図８】第２実施の形態例における球止め状態を示す説明図
【図９】第２実施の形態例における球通路蓋を大きく開放した状態を示す説明図
【符号の説明】
【００３３】
ｐ・・・パチンコ機
２・・・球タンク
３・・・機構板
１０，５０・・・タンクレール
１１，５１・・・球通路
１２，５２・・・カーブレール部
１３，５３・・・嵌合穴
１５・・・係合部
１８，６０・・・球通路蓋
２１，６４・・・突部（球通路蓋の一部）
２２，６５・・・連結部
２３，６６・・・係止部
７１・・・第１係合溝（係合部）
７２・・・第２係合溝（係合部）
８０・・・遊技球払出装置
ａ・・・遊技球
【図１】
2005110762.tif 000003
【図２】
2005110762.tif 000004
【図３】
2005110762.tif 000005
【図４】
2005110762.tif 000006
【図５】
2005110762.tif 000007
【図６】
2005110762.tif 000008
【図７】
2005110762.tif 000009
【図８】
2005110762.tif 000010
【図９】
2005110762.tif 000011